(57)【要約】【課題】コンプレッサを簡単な作業で十分に制振すること。【解決手段】コンプ台４４には複数のコイルスプリング４８を介してコンプレッサ４９が支持されている。このコンプレッサ４９の上面にはクッション５６が装着されている。この構成の場合、コンプカバー６２をコンプ台４４にネジ止めすることに基づいてクッション５６がコンプカバー６２およびコンプ台４４相互間の締結力でコンプレッサ４９に押付けられるので、コンプレッサ４９を簡単な作業で十分に制振することができる。【選択図】図７
2009022347.tif 000002
【特許請求の範囲】
【請求項１】
衣類を洗濯するための水を受ける水受槽と、
前記水受槽の内部に収納されたものであって、衣類が投入される洗濯槽と、
前記洗濯槽を回転操作する洗濯モータと、
一端部に入口を有し他端部に出口を有する筒状をなすものであって、底板を備えた水平な通風路と、
前記通風路の入口を前記水受槽の内部空間に接続する入口側接続路と、
前記通風路の出口を前記水受槽の内部空間に接続する出口側接続路と、
前記水受槽の内部の空気を前記入口側接続路から前記通風路および前記出口側接続路を順に通して前記水受槽の内部に戻すように循環させる送風機と、
前記通風路の内部に設けられ、前記通風路の内部を流れる空気を冷却するためのものであって冷媒が流通する冷媒管を有する蒸発器と、
前記通風路の内部に前記蒸発器よりも出口側に位置して設けられ、前記通風路の内部を流れる空気を加熱するためのものであって冷媒が流通する冷媒管を有する凝縮器と、
前記通風路の底板に前記通風路の外部に位置して設けられた水平な台板と、
前記台板に軸心線が上下方向へ指向するように設けられた複数のコイルスプリングと、
前記凝縮器の冷媒管に接続された冷媒の吐出口および前記蒸発器の冷媒管に接続された冷媒の吸込口を有するものであって、前記複数のコイルスプリングを介して前記台板に支持された圧縮機と、
前記台板に複数のネジを介して締結され、前記圧縮機を覆うものであって前記圧縮機を介して前記台板に対向する天板を有する圧縮機カバーと、
前記圧縮機カバーの天板および前記圧縮機相互間に設けられ、前記圧縮機カバーの天板および前記圧縮機のそれぞれに比べて軟質なものであって前記圧縮機カバーの前記台板に対する締結力で前記圧縮機に押付けられた緩衝部材を備えたことを特徴とする洗濯機。
【請求項２】
前記圧縮機カバーの天板に設けられ、前記圧縮機に向って延びる軸部と、
前記緩衝部材に設けられ、前記軸部のうち前記圧縮機カバーの天板側の一部が挿入されずに当該一部を除く残り部分が挿入されたものであって前記軸部の残り部分の外周面が接触する貫通孔状または凹状をなす係合部と、
前記軸部の外周面に前記係合部の外部に位置して設けられ、前記軸部の外周面および前記圧縮機カバーの天板相互間を接続する板状をなすものであって前記圧縮機カバーの前記台板に対する締結力で前記緩衝部材を前記圧縮機に押付けるリブを備えたことを特徴とする請求項１に記載の洗濯機。
【発明の詳細な説明】
【背景技術】
【０００１】
上記洗濯機には水受槽の下方に水平な底板を有する筒状の通風路を設け、通風路の両端部のそれぞれを上方の水受槽に接続した構成のものがある。この通風路の内部には蒸発器および凝縮器が通風路の延び方向に相互に並べて固定されており、送風機の運転時には水受槽の内部の空気が通風路の内部に吸引され、蒸発器および凝縮器を順に通して水受槽の内部に戻される。これら凝縮器および蒸発器のそれぞれは圧縮機から吐出された冷媒が流通するものであり、水受槽の内部の空気は蒸発器に接触することに基づいて冷却された後に凝縮器に接触することに基づいて加熱され、水受槽の内部に衣類を乾かすための乾燥風として戻される。この従来の洗濯機では通風路の水平な底板に通風路の外部に突出する水平な台板を設け、圧縮機の下端部を複数のコイルスプリングを介して台板に支持することに基づいて圧縮機が水受槽内の洗濯槽を回転操作する洗濯モータの運転時に振動することを抑えている。
【特許文献１】特開２００６−１１０３９４号公報
【発明の開示】
【発明が解決しようとする課題】
【０００２】
上記従来の洗濯機では圧縮機が十分に制振されておらず、洗濯モータの運転時に圧縮機の上端部が下端部を起点に振れる虞れがある。この圧縮機の吐出口は冷媒管を介して凝縮器に配管され、圧縮機の吸込口は冷媒管を介して蒸発器に配管されており、圧縮機が洗濯モータの運転時に振れたときには両冷媒管のそれぞれに応力が集中してしまう。
【０００３】
本発明は上記事情に鑑みてなされたものであり、圧縮機を簡単な作業で十分に制振することができる洗濯機を提供することを目的とするものである。
【課題を解決するための手段】
【０００４】
請求項１記載の洗濯機は、衣類を洗濯するための水を受ける水受槽と、前記水受槽の内部に収納されたものであって衣類が投入される洗濯槽と、前記洗濯槽を回転操作する洗濯モータと、一端部に入口を有し他端部に出口を有する筒状をなすものであって底板を備えた水平な通風路と、前記通風路の入口を前記水受槽の内部空間に接続する入口側接続路と、前記通風路の出口を前記水受槽の内部空間に接続する出口側接続路と、前記水受槽の内部の空気を前記入口側接続路から前記通風路および前記出口側接続路を順に通して前記水受槽の内部に戻すように循環させる送風機と、前記通風路の内部に設けられ前記通風路の内部を流れる空気を冷却するためのものであって冷媒が流通する冷媒管を有する蒸発器と、前記通風路の内部に前記蒸発器よりも出口側に位置して設けられ前記通風路の内部を流れる空気を加熱するためのものであって冷媒が流通する冷媒管を有する凝縮器と、前記通風路の底板に前記通風路の外部に位置して設けられた水平な台板と、前記台板に軸心線が上下方向へ指向するように設けられた複数のコイルスプリングと、前記凝縮器の冷媒管に接続された冷媒の吐出口および前記蒸発器の冷媒管に接続された冷媒の吸込口を有するものであって前記複数のコイルスプリングを介して前記台板に支持された圧縮機と、前記台板に複数のネジを介して締結され前記圧縮機を覆うものであって前記圧縮機を介して前記台板に対向する天板を有する圧縮機カバーと、前記圧縮機カバーの天板および前記圧縮機相互間に設けられ前記圧縮機カバーの天板および前記圧縮機のそれぞれに比べて軟質なものであって前記圧縮機カバーの前記台板に対する締結力で前記圧縮機に押付けられた緩衝部材を備えたところに特徴を有する。
【発明の効果】
【０００５】
台板が複数のコイルスプリングを介して下方から圧縮機を支え、圧縮機カバーの天板が緩衝部材を介して上方から圧縮機を押えているので、洗濯モータの運転時に圧縮機が揺れることを十分に抑えることができる。しかも、圧縮機カバーを台板にネジ止めすることに基づいて緩衝部材が圧縮機カバーおよび台板相互間の締結力で圧縮機に押付けられるので、総じて圧縮機を簡単な作業で十分に制振することができる。しかも、コンプレッサおよび圧縮機カバーのそれぞれに比べて軟質な緩衝部材が使用されている。このため、コンプレッサの運転時にコンプレッサから圧縮機カバーに振動が伝わり難くなるので、圧縮機カバーが振動することに基づいて耳障りな異音が発生することを防止できる。
【発明を実施するための最良の形態】
【０００６】
［実施例１］
外箱１は、図１に示すように、台板２と左側板３と右側板４と前板５と天板６と後板７相互間を箱状に組合せることから構成されたものであり、台板２には、図２に示すように、複数のダンパ８が固定されている。これら複数のダンパ８のそれぞれは垂直なロッドおよびロッドの外周部に挿入されたスプリングを有するものであり、複数のダンパ８のそれぞれには共通の水受槽９が固定され、水受槽９は外箱１の内部に複数のダンパ８を介して制振状態および緩衝状態のそれぞれで収納されている。この水受槽９は後面が閉鎖された有底な円筒状をなすものであり、軸心線が前から後へ向って下降する傾斜状態となるように配置されている。この水受槽９の後板には水受槽９の外部に位置してドラムモータ１０のステータが固定されている。このドラムモータ１０はステータの外周部にロータを配置してなるアウタロータ形のＤＣブラシレスモータからなるものであり、ドラムモータ１０の回転軸１１は水受槽９の内部に突出している。このドラムモータ１０は洗濯モータに相当するものである。
【０００７】
ドラムモータ１０の回転軸には、図２に示すように、ドラム１２が回転不能に固定されている。このドラム１２は洗濯物が投入される洗濯槽に相当するものであり、ドラムモータ１０が運転されることに基づいてドラムモータ１０の回転軸１１と一体的に回転する。このドラム１２は後面が閉鎖された有底な円筒状をなすものであり、水受槽９の内部に水受槽９に対して同心状に収納されている。このドラム１２には複数の貫通孔１３が形成されており、ドラム１２の内部空間は複数の貫通孔１３のそれぞれを介して水受槽９の内部空間に接続されている。
【０００８】
外箱１の前板５には、図２に示すように、貫通孔状の出入口１４が形成されており、ドラム９の内部には出入口１４を通して洗濯物が出し入れされる。この外箱１の前板５には扉１５が装着されている。この扉１５は透明なガラス製の窓および窓を取囲む窓枠を有するものであり、出入口１４を閉鎖する閉鎖状態および出入口１４を開放する開放状態相互間で移動可能にされている。この扉１５の窓枠の後方には窓枠を取囲む筒状のベローズ１６が配置されている。このベローズ１６は水受槽９の前端部に固定されたものであり、扉１５の閉鎖状態ではベローズ１６が窓枠に接触することに基づいて水受槽９および扉１５相互間を気密状態に閉塞する。
【０００９】
外箱１の内部には、図２に示すように、給水弁１７が収納されている。この給水弁１７は入口および出口を有するものであり、給水弁１７の入口は水道の蛇口に接続され、給水弁１７の出口は注水ケース１８に接続されている。この給水弁１７は給水弁モータを駆動源とするものであり、給水弁１７の出口は給水弁モータの回転量に応じて開放状態および閉鎖状態相互間で切換えられ、給水弁１７の出口が開放された状態では水道水が給水弁１７の出口を通して注水ケース１８内に注入される。この注水ケース１８は外箱１の内部に水受槽９より高所に位置して収納されたものであり、ホースからなる注水口１９を備えている。この注水口１９は水受槽９の内部空間に接続されており、給水弁１７から注水ケース１８内に注入された水道水は注水口１９から水受槽９内に注入される。
【００１０】
水受槽９には、図２に示すように、最底部に位置して排水管２０の上端部が接続されており、排水管２０には排水弁２１が介在されている。この排水弁２１は排水弁モータを駆動源とするものであり、排水弁モータの回転量に応じて排水管２０を開放する開放状態および排水管２０を閉鎖する閉鎖状態相互間で切換えられる。この排水弁２１の閉鎖状態では注水ケース１８から水受槽９内に注入された水道水が水受槽９内に貯留され、排水弁２１の開放状態では水受槽９内に貯留された水道水が排水管２０を通して水受槽９の外部に排出される。
【００１１】
外箱１の台板２には、図２に示すように、水受槽９の下方に位置してユニットケース２３が固定されている。このユニットケース２３は、図３に示すように、上面および右側面のそれぞれが開口するものであり、水平な底板２４と垂直な前板２５と垂直な後板２６と垂直な左側板２７を有している。これら前板２５と後板２６と左側板２７のそれぞれの上端部には水平なユニットカバー２８が固定されており、ユニットカバー２８はユニットケース２３の上面を塞いでいる。このユニットケース２３には、図２に示すように、前板２５に位置して貫通孔状の入口２９が形成され、後板２６に位置して貫通孔状の出口３０が形成されており、前板２５の入口２９には前ダクト３１の後端部が接続されている。この前ダクト３１は入口２９を取囲む筒状をなすものであり、前ダクト３１の上端部は前ホース３２を介して水受槽９の内部空間に接続されている。この前ダクト３１は入口側接続路に相当するものである。
【００１２】
ユニットケース２３の後板２６には、図２に示すように、ファンケーシング３３が固定されている。このファンケーシング３３には円形孔状の吸気口が形成されており、ファンケーシング３３の吸気口は後板２６の出口３０に接続されている。このファンケーシング３３にはファンモータ３４が固定されている。このファンモータ３４はファンケーシング３３の内部に突出する回転軸を有するものであり、回転軸にはファンケーシング３３の内部に位置してファン３５が回転不能に連結されている。このファン３５は軸方向から空気を吸込んで径方向に吐出する遠心式のものであり、ファンケーシング３３には、図３に示すように、ファン３５に径方向から対向する筒状の排気口３６が形成されている。この排気口３６には、図２に示すように、後ダクト３７の下端部が接続されており、後ダクト３７の上端部は水受槽９の後板を介して水受槽９の内部空間に接続されている。この後ダクト３７は出口側接続路に相当するものであり、ファンケーシング３３とファンモータ３４とファン３５は送風機に相当するものである。
【００１３】
ユニットケース２３の内部には、図２に示すように、コンデンサ３８が収納されている。このコンデンサ３８はユニットケース２３の底板２４に固定されたものであり、蛇行状に曲折された冷媒管３９および冷媒管３９の外周面に接合された複数のフィン４０を有している。ユニットケース２３の内部にはエバポレータ４１が収納されている。このエバポレータ４１はユニットケース２３の底板２４にコンデンサ３８の前方に位置して固定されたものであり、蛇行状に曲折された冷媒管４２および冷媒管４２の外周面に接合された複数のフィン４３を有している。このエバポレータ４１は冷媒を蒸発させる蒸発器に相当するものであり、コンデンサ３８は冷媒を凝縮させる凝縮器に相当するものであり、コンデンサ３８の冷媒管３９およびエバポレータ４１の冷媒管４２は相互に接続されている。
【００１４】
ユニットケース２３の底板２４には、図３に示すように、台板に相当する水平なコンプ台４４が形成されている。このコンプ台４４はユニットケース２３の底板２４から右方へ延びるものであり、コンプ台４４には３個のダンパ収納部４５が形成されている。これら３個のダンパ収納部４５のそれぞれは正三角形の頂点部分に位置するように相互に等ピッチで配列されたものであり、上面が開口する凹状をなしている。このコンプ台４４には３個のダンパ収納部４５のそれぞれの底部に位置して垂直なボルト４６が固定されており、３本のボルト４６のそれぞれの外周面には共通のコンププレート４７が上下方向へスライド可能に挿入されている。このコンププレート４７は正三角形状をなすものであり、３本のボルト４６のそれぞれはコンププレート４７の頂点部分に挿入されている。これら３本のボルト４６のそれぞれの外周部には圧縮コイルスプリング４８が挿入されている。これら３個のコイルスプリング４８のそれぞれはダンパ収納部４５の底板およびコンププレート４７相互間に軸心線が上下方向へ指向するように介在されたものであり、コンププレート４７は３個のコイルスプリング４８の弾性力で上方へ付勢されることに基づいて３本のボルト４６のそれぞれの頭部に接触した状態に保持されている。
【００１５】
コンププレート４７には、図３に示すように、コンプレッサ４９が固定されており、コンプレッサ４９は３本のコイルスプリング４８のそれぞれを介してコンプ台４４に弾性的に支持されている。このコンプレッサ４９は金属からなる中空状のコンプケースを図示したものであり、コンプケースの内部には駆動源に相当するコンプモータが収納されている。このコンプレッサ４９の上面には垂直な管状の吐出口５０が固定され、コンプレッサ４９の側面には下端部に位置して水平な管状の吸込口５１が固定されている。このコンプレッサ４９の吐出口５０にはコンデンサ３８の冷媒管３９が接続されており、コンプモータの運転状態ではコンプレッサ４９の吐出口５０からコンデンサ３８の冷媒管３９およびエバポレータ４１の冷媒管４１に順に冷媒が流通する。
【００１６】
コンプレッサ４９の外周面には、図３に示すように、ベルト５２が固定されている。このベルト５２の内周面にはアキュームレータ５３が嵌合されており、アキュームレータ５３はベルト５２を介してコンプレッサ４９に保持されている。このアキュームレータ５３は管状の入口５４および管状の出口５５を有するものであり、アキュームレータ５３の入口５４はエバポレータ４１の冷媒管４２に接続されている。このアキュームレータ５３の出口５５はコンプレッサ４９の吸込口５１に接続されており、コンプレッサ４９の運転状態ではコンプレッサ４９の吐出口５０から吐出された冷媒がコンデンサ３８とエバポレータ４１とアキュームレータ５３を順に通してコンプレッサ４９の吸込口５１に戻される。
【００１７】
コンプレッサ４９の上端面には、図３に示すように、クッション５６が装着されている。このクッション５６は緩衝部材に相当するものであり、ＥＥＰＲＯＭを材料に形成されている。このＥＥＰＲＯＭはゴムおよび合成樹脂の複合材料であり、金属製のコンプレッサ４９に比べて軟質なものである。このクッション５６は、図４に示すように、２つの単位クッション５７を相互に連結した対象形状をなすものであり、両単位クッション５７相互間には円形状のパイプ孔５８および直線状の切込み５９が形成されている。この切込み５９は両単位クッション５７のそれぞれが相手側から離間するようにクッション５６を押し拡げるためのものであり、クッション５６は、図３に示すように、コンプレッサ４９の吐出口５０の外周面に切込み５９を通して押込まれることに基づいてコンプレッサ４９に装着され、クッション５６の装着状態では吐出口５０の外周面がクッション５６のパイプ孔５８の内周面にクッション５６の弾性力で密着する。
【００１８】
クッション５６には、図４に示すように、両単位クッション５７のそれぞれに位置して係合孔６０が形成されている。これら両係合孔６０のそれぞれは係合部に相当するものであり、単位クッション５７を上下方向に貫通する円形状をなしている。これら両単位クッション５７のそれぞれの上面にはガイド面６１が形成されている。これら両ガイド面６１のそれぞれは係合孔６０を取囲む円環状をなすものであり、外周部から内周部に向って下降する傾斜状をなしている。
【００１９】
コンプ台４４には、図５に示すように、コンプカバー６２が固定されている。このコンプカバー６２は圧縮機カバーに相当するものであり、クッション５６に比べて硬質な合成樹脂を材料に形成されている。このコンプカバー６２はコンプレッサ４９をコンプケース２３とは反対側である右方から覆うものであり、天板６３および右側板６４を有している。天板６３はコンプレッサ４９の上面に上方から対向する水平な板状をなすものであり、コンプ台４４にコンプレッサ４９を介して対向配置されている。右側板６４はユニットケース２３の右側面を右方から塞ぐものであり、ユニットケース２３には、図２に示すように、ユニットケース２３の底板２４とユニットケース２３の左側板２７とユニットカバー２８と右側板６４の４者で囲まれた四角筒状の通風路６５が形成されている。
【００２０】
通風路６５は、図２に示すように、前後方向へ延びる水平なものであり、水受槽９の下方に配置されている。この通風路６５は前板２５の入口２９と前ダクト３１と前ホース３２のそれぞれを介して水受槽９の内部空間に接続され、後板２６の出口３０とファンケーシング３３と後ダクト３７のそれぞれを介して水受槽９の内部空間に接続されたものであり、ファンモータ３４の運転状態では水受槽９内の空気およびドラム１２内の空気のそれぞれが前ホース３２と前ダクト３１と入口２９を順に通して通風路６５内に吸引され、通風路６５に沿って前から後へ直線的に流れる。この空気は通風路６５の出口３０からファンケーシング３３内に吸引され、ファンケーシング３３の排気口３６から後ダクト３７を通して水受槽９の内部空間に戻される。即ち、前ダクト３１と通風路６５とファンケーシング３３と後ダクト３７は水受槽９の内部空間を始点および終点のそれぞれとする閉ループ状の循環風路を構成するものであり、エバポレータ４１は循環風路内にコンデンサ３８より上流側に位置して収納され、コンデンサ３８は循環風路内にエバポレータ４１より下流側に位置して収納されている。
【００２１】
ドラム１２内に水分を含んだ未乾燥の洗濯物が残されている状態でコンプレッサ４９およびファンモータ３４のそれぞれが運転されたときには水受槽９内から高湿度の空気が通風路６５内に吸引される。この高湿度の空気はエバポレータ４１の複数のフィン４３のそれぞれに接触することに基づいて冷却され、水分が除去される。この低温度の空気はコンデンサ３８の複数のフィン４０のそれぞれに接触することに基づいて加熱され、水受槽９内に低湿度な温風として注入される。即ち、コンデンサ３８とエバポレータ４１とコンプレッサ４９は循環風路に沿って循環する空気を低湿度で高温度な乾燥風に変換するヒートポンプを構成するものであり、ドラム１２内の未乾燥の洗濯物はヒートポンプが変換する乾燥風が吹付けられることに基づいて乾かされる。
【００２２】
コンプカバー６２には、図６に示すように、下端部に位置して円環状をなす複数の位置決め部６６が形成されており、複数の位置決め部６６のそれぞれの内周面には円筒状をなすボス部６７の外周面が嵌合されている。これら複数のボス部６７のそれぞれは、図３に示すように、コンプ台４４に形成されたものであり、コンプカバー６２は複数の位置決め部６６のそれぞれがボス部６７に嵌合することに基づいてコンプ台４４の目標位置に位置決めされている。このコンプカバー６２には、図６に示すように、複数の位置決め部６６のそれぞれの内部に位置して水平な取付板６８が形成されている。これら複数の取付板６８のそれぞれには上方からネジが挿入されており、複数のネジのそれぞれは下方のボス部６７の内周面に螺合されている。これら複数の取付板６８のそれぞれはボス部６７の上面にネジを介して締結されたものであり、コンプカバー６２は複数のネジのそれぞれの締結力でコンプ台４４の目標位置に固定されている。このコンプカバー６２には、図７に示すように、天板６３に位置して２個の管収納部６９が形成されている。これら両管収納部６９のそれぞれは下面が開口する凸状をなすものであり、コンデンサ３８の冷媒管３９およびエバポレータ４１の冷媒管４２のそれぞれは管収納部６９内に収納されている。
【００２３】
コンプカバー６２には、図６に示すように、天板６３に位置して２本の軸部７０が形成されている。これら両軸部７０のそれぞれは天板６３を起点に下方へ垂直に延びる円筒状をなすものであり、両軸部７０のそれぞれの下半部は、図７に示すように、クッション５６の係合孔６０の内周面に上方から挿入されている。これら両軸部７０のそれぞれの下半部は係合孔６０の内周面に面接触状態で係合するものであり、クッション５６はコンプレッサ４９の吐出口５０に係合することに基づいてコンプレッサ４９に対して水平方向へずれ動くことが防止され、コンプカバー６２の両軸部７０の下半部のそれぞれに係合することに基づいてコンプカバー６２に対して水平方向へずれ動くことが防止されている。これら両軸部７０のそれぞれの下端部には、図８に示すように、傾斜部７１が形成されている。これら両傾斜部７１のそれぞれは上から下へ向かって外径寸法が小さくなるものであり、コンプカバー６２をコンプレッサ４９に被せるときには両軸部７０のそれぞれの傾斜部７１がクッション５６の傾斜面６１によって案内されることに基づいて両軸部７０のそれぞれがクッション５６の係合孔６０内に係合される。
【００２４】
コンプカバー６２には、図８に示すように、２枚のリブ７２が形成されている。これら両リブ７２のそれぞれは軸部７０の外周面のうち係合孔６０内に係合していない上半部の外周面およびコンプカバー６２の天板６３相互間を接続するものであり、両軸部７０のそれぞれはリブ７２によって補強されている。これら両リブ７２のそれぞれには押圧部７３が形成されている。これら両押圧部７３のそれぞれはリブ７２の下端面を称するものであり、クッション５６をコンプカバー６２およびコンプ台４４相互間の締結力でコンプレッサ４９の上面に押付けている。このクッション５６はコンプレッサ４９およびリブ７２のそれぞれに比べて軟質な弾性部材であり、押圧部７３とコンプレッサ４９との間で局部的に挟持されることに基づいて弾性的に圧縮されている。コンプカバー６１には、図５に示すように、吸音板７４および吸音板７５が貼付されている。これら吸音板７４および吸音板７５のそれぞれは振動音を吸収するものであり、ブチルゴムを材料に形成されている。
【００２５】
上記実施例１によれば次の効果を奏する。
コンプ台４４が複数のコイルスプリング４８を介して下方からコンプレッサ４９を支え、コンプカバー６２の天板６３がクッション５６を介して上方からコンプレッサ４９を押える構成としたので、ドラムモータ１０の運転時にコンプレッサ４９が揺れることを十分に抑えることができる。しかも、コンプカバー６２をコンプ台４４にネジ止めすることに基づいてクッション５６がコンプカバー６２およびコンプ台４４相互間の締結力でコンプレッサ４９に押付けられる構成としたので、総じてコンプレッサ４９を簡単な作業で十分に制振することができる。しかも、クッション５６としてコンプレッサ４９およびコンプカバー６２のそれぞれに比べて軟質な弾性部材を用いた。このため、コンプレッサ４９の運転時にコンプレッサ４９からコンプカバー６２に振動が伝わり難くなるので、コンプカバー６２が振動することに基づいて耳障りな異音が発生することを防止できる。
【００２６】
コンプカバー６２の軸部７０をクッション５６の係合孔６０内に係合したので、クッション５６およびコンプカバー６２がドラムモータ１０の運転時の振動で水平方向へ相互にずれ動くことが防止される。しかも、コンプカバー６２の天板６３が軸部７０を補強するリブ７２を介してクッション５６を押える構成とした。このため、コンプカバー６２にクッション５６を押えるための専用部材を形成する必要がなくなるので、コンプカバー６２の形状が簡単になる。コンプカバー６２に吸音材７４および吸音材７５を貼付したので、例えコンプレッサ４９からコンプカバー６２に振動が伝わったときであってもコンプカバー６２で耳障りな異音が発生することが抑えられる。
【００２７】
上記実施例１においては、クッション５６に両係合孔６０のそれぞれに換えて上面が開口する凹部を形成し、コンプカバー６２の両軸部７０のそれぞれを凹部の内周面に面接触状態で挿入しても良い。
【図面の簡単な説明】
【００２８】
【図１】本発明の実施例１を示す図（洗濯機の外観を示す斜視図）
【図２】洗濯機の内部構成を示す断面図
【図３】ユニットケースの外観をコンプカバーの除去状態で示す斜視図
【図４】クッションの外観を示す斜視図
【図５】ユニットケースの外観をコンプカバーの装着状態で示す斜視図
【図６】コンプカバーの外観を示す斜視図
【図７】ユニットケースの外観をコンプカバーの一部を破断して示す斜視図
【図８】クッションの装着状態を示す斜視図
【符号の説明】
【００２９】
９は水受槽、１０はドラムモータ（洗濯モータ）、１２はドラム（洗濯槽）、２４は底板、２９は入口、３０は出口、３１は前ダクト（入口側接続路）、３７は後ダクト（出口側接続路）、３８はコンデンサ（凝縮器）、３９は冷媒管、４１はエバポレータ（蒸発器）、４２は冷媒管、４４はコンプ台（台板）、４８は圧縮コイルスプリング（コイルスプリング）、４９はコンプレッサ（圧縮機）、５０は吐出口、５１は吸込口、５６はクッション（緩衝部材）、６０は係合孔（係合部）、６２はコンプカバー（圧縮機カバー）、６３は天板、６５は通風路、７０は軸部、７２はリブを示している。
【図１】
2009022347.tif 000003
【図２】
2009022347.tif 000004
【図３】
2009022347.tif 000005
【図４】
2009022347.tif 000006
【図５】
2009022347.tif 000007
【図６】
2009022347.tif 000008
【図７】
2009022347.tif 000009
【図８】
2009022347.tif 000010